(57)【特許請求の範囲】
【請求項１】
所定の表示パターンを照光表示する照光表示装置であって、
光源からの光が入光する端部に入光部を有する導光体と、前記導光体の表面に形成され前記所定の表示パターンが設けられたパターン層と、を備え、
前記パターン層は、透明なバインダに細かい繊維状の銀ナノワイヤが分散された銀ナノワイヤ膜を有し、
前記パターン層は、前記導光体の前記端部から前記光が入光していない際には、視認されなく、前記導光体の前記端部から前記光が入光した際には、照光されて視認されることを特徴とする照光表示装置。
【請求項２】
前記導光体を複数有し、
複数の前記導光体の少なくとも２つには、それぞれに前記パターン層が形成されていることを特徴とする請求項１に記載の照光表示装置。
【請求項３】
前記少なくとも２つの導光体は、離間して対向するように配設されていることを特徴とする請求項２に記載の照光表示装置。
【発明の詳細な説明】
【技術分野】
【０００１】
本発明は、文字や記号や図形等の所定の表示パターンを照光表示する照光表示装置に関する。
【背景技術】
【０００２】
商品広告や案内表示などに用いられ、夜間や照度が低い箇所でも所望の情報を正しく認識できるように、多様な文字や記号や図形等の表示パターンを照光表示する照光表示装置が多種開発されている。このような照光表示装置には、常に照光表示させている場合と必要なときにだけ照光表示させる場合とがあり、近年の表示に対する多様化に伴って、後者の場合の要望が高まってきた。特に、照光表示させないときには、表示パターンがユーザにより認識されないことが求められていた。
【０００３】
そこで、このような照光表示装置に対して、液晶表示装置に用いられる導光板（バックライト）の技術の応用が考えられる。ここでの導光板は、冷陰極蛍光ランプ（ＣＣＦＬ、Cold Cathode Fluorescent Lamp）や発光ダイオード（ＬＥＤ、Light Emitting Diode）などの光源からの光を伝搬し、照光したい部分を光らせる機能を有している。このような導光板の従来例として、特許文献１（従来例１）では、光制御パターン８１４が一面に形成された導光板８０１が提案されている。図９は、従来例の導光板を説明する図であって、図９（ａ）は、従来例１の導光板８０１の平面図であり、図９（ｂ）は、従来例１で引用されている従来例（従来例２）の導光板９０１の平面図及び側面図である。
【０００４】
図９（ａ）に示す従来例１の導光板８０１は、側面に入光面８１３を有し、反射面８１２に多数の単位パターン８４０を不規則に、かつ、単位面積当たりの分布密度がほぼ均一になる配置で形成して構成されている。この単位パターン８４０は、円柱形の凹部、円錐形の凹部、円錐台形の凹部、ムーンカットパターン、印刷ドット等で作製されている。そして、導光板８０１内を伝搬してきた光を単位パターン８４０で散乱させ、反射面８１２とは反対側の発光面を光らせるようにしている。
【０００５】
また、図９（ｂ）に示す従来例２の導光板９０１は、側面に入光面９１３を有し、反射面９１２に多数のＶ溝の単位パターン９４０を規則的に形成して構成されている。そして、従来例１と同様に、導光板９０１内を伝搬してきた光を単位パターン９４０で散乱させ、反射面９１２とは反対側の発光面９１５を光らせるようにしている。
【０００６】
また、図示はしないが、導光板の反射面に二酸化チタン等の粉末が含有された光散乱性を有したパターン層を設け、このパターン層で光を散乱させ、発光面を光らせるようにしている導光板の技術も存在している（従来例３）。
【０００７】
このようにして、従来例１及び従来例２の単位パターン（８４０、９４０）や従来例３のパターン層を設けることにより、照光表示させたいときに、光源を点灯し、発光面を光らせるようにする。そして、透光性の表示パターンを発光面側に設けることや単位パターン（８４０、９４０）及びパターン層そのものを表示パターンとして用いることで、ユーザにより表示パターンが照光表示されて認識されるようになる。
【先行技術文献】
【特許文献】
【０００８】
【特許文献１】特開２００８−８４５４４号公報
【発明の概要】
【発明が解決しようとする課題】
【０００９】
しかしながら、従来例１や従来例２の導光板（８０１、９０１）の表面を加工する方法では、単位パターンがある程度の大きさを有するため、所望の表示パターンを明瞭に表示することが困難であった。しかも従来例１や従来例２では、照光表示させないとき（光源を点灯させないとき）でも、導光板への透過光や反射光で、単位パターン（８４０、９４０）がユーザにより視認されてしまうという課題があった。また、従来例３でも、当然のことながら、パターン層がユーザにより視認されてしまうという課題があった。
【００１０】
本発明は、上述した課題を解決するもので、光源の非点灯時に視認されなく、光源の点灯時に所定の表示パターンを照光表示できる照光表示装置を提供することを目的とする。
【課題を解決するための手段】
【００１１】
この課題を解決するために、本発明の照光表示装置は、所定の表示パターンを照光表示する照光表示装置であって、光源からの光が入光する端部に入光部を有する導光体と、前記導光体の表面に形成され前記所定の表示パターンが設けられたパターン層と、を備え、前記パターン層が透明なバインダに細かい繊維状の銀ナノワイヤが分散された銀ナノワイヤ膜を有し、前記パターン層が、前記導光体の前記端部から前記光が入光していない際には、視認されなく、前記導光体の前記端部から前記光が入光した際には、照光されて視認されることを特徴としている。
【００１２】
これによれば、本発明の照光表示装置は、パターン層が非常に細い繊維状の銀ナノワイヤを有した銀ナノワイヤ膜となっているので、反射光や透過光がパターン層に入光したとしても、反射光や透過光が銀ナノワイヤに影響されることがない。このため、光源の非点灯時に導光体の端部から光が入光していない際には、ユーザによりパターン層が視認されることがない。一方、光源の点灯時に導光体の端部から光が入光した際には、導光体内を伝搬してきた光がパターン層の銀ナノワイヤにより散乱される。このため、パターン層が照光され、ユーザにより照光された所定の表示パターンとして視認されるようになる。これらのことにより、光源の非点灯時には、所定の表示パターンが視認されなく、光源の点灯時には、所定の表示パターンを照光表示することができる照光表示装置を提供できる。
【００１３】
また、本発明の照光表示装置は、前記導光体を複数有し、複数の前記導光体の少なくとも２つには、それぞれに前記パターン層が形成されていることを特徴としている。
【００１４】
これによれば、複数の導光体のそれぞれに所定の表示パターンを別々に割り当てることができる。このことにより、照光表示による表現をより豊かにすることができる。
【００１５】
また、本発明の照光表示装置は、前記少なくとも２つの導光体が離間して対向するように配設されていることを特徴としている。
【００１６】
これによれば、複数の導光体のそれぞれに、同じ所定の表示パターンを設け、同じ所定の表示パターンを重ね合わせて配置することができる。このため、それぞれの導光体に入光する光の色を変えることで、所定の表示パターンの表示色を変えることができる。しかも入光する光の色の組合せによって、表示色の色を増やすことができる。このことにより、照光表示による表現をより一層豊かにすることができる。
【発明の効果】
【００１７】
本発明の照光表示装置は、パターン層が非常に細い繊維状の銀ナノワイヤを有した銀ナノワイヤ膜となっているので、反射光や透過光がパターン層に入光したとしても、反射光や透過光が銀ナノワイヤに影響されることがない。このため、光源の非点灯時に導光体の端部から光が入光していない際には、ユーザによりパターン層が視認されることがない。一方、光源の点灯時に導光体の端部から光が入光した際には、導光体内を伝搬してきた光がパターン層の銀ナノワイヤにより散乱される。このため、ユーザによりパターン層が照光された所定の表示パターンとして視認されるようになる。これらのことにより、光源の非点灯時には、所定の表示パターンが視認されなく、光源の点灯時には、所定の表示パターンを照光表示することができる。
【図面の簡単な説明】
【００１８】
【図１】本発明の第１実施形態の照光表示装置を説明する斜視図である。
【図２】本発明の第１実施形態の照光表示装置を説明する構成図であって、図１に示すＺ１側から見た上面図である。
【図３】本発明の第１実施形態の照光表示装置を説明する構成図であって、図２に示すＩＩＩ−ＩＩＩ線における断面図である。
【図４】本発明の第１実施形態の照光表示装置に係わるパターン層の形成方法を説明する工程図である。
【図５】本発明の第２実施形態の照光表示装置を説明する分解斜視図である。
【図６】本発明の第２実施形態の照光表示装置を説明する斜視図である。
【図７】本発明の第２実施形態の照光表示装置を説明する図であって、図７（ａ）は、図６に示すＺ１側から見た上面図であり、図７（ｂ）は、図６に示すＸ１側から見た側面図である。
【図８】本発明の第２実施形態の照光表示装置を説明する図であって、図７（ａ）に示すＶＩＩＩ−ＶＩＩＩ線における断面図である。
【図９】従来例の導光板を説明する図であって、図９（ａ）は、従来例１の導光板の平面図であり、図９（ｂ）は、従来例１で引用されている従来例（従来例２）の導光板の平面図及び側面図である。
【発明を実施するための形態】
【００１９】
以下、本発明の実施の形態について図面を参照して説明する。
【００２０】
［第１実施形態］
図１は、本発明の第１実施形態の照光表示装置１０１を説明する斜視図である。図２は、本発明の第１実施形態の照光表示装置１０１を説明する構成図であって、図１に示すＺ１側から見た上面図である。図３は、本発明の第１実施形態の照光表示装置１０１を説明する構成図であって、図２に示すＩＩＩ−ＩＩＩ線における断面図である。
【００２１】
本発明の第１実施形態の照光表示装置１０１は、図１及び図２に示すような外観を呈し、図３に示すように、端部に入光部Ｌ１ｎを有する導光体Ｌ１と、導光体Ｌ１の表面に形成されたパターン層５と、を備えて構成されている。他に、本発明の第１実施形態では、照光表示装置１０１は、図１ないし図３に示すように、導光体Ｌ１の入光部Ｌ１ｎに対向して配設された光源ＬＥ１と、導光体Ｌ１を収容するケースＫ１７と、光源ＬＥ１及び外部機器との接続を可能にするコネクタＣＮを搭載する配線基板１９と、を有している。そして、照光表示装置１０１は、光源ＬＥ１が点灯された際に、パターン層５に描かれた所定の表示パターンを照光表示するように構成されている。なお、図１及び図２には、パターン層５における具体的な所定の表示パターンを図示していないが、文字や記号や図形等の表示パターンが設けられている。また、図３の断面図では、パターン層５において、表示パターン（図中に示すＰＴ）の有る部分と無い部分を示している。
【００２２】
先ず、照光表示装置１０１の導光体Ｌ１は、透光性を有した硼ケイ酸系のガラスからなり、図１ないし図３に示すように、シート状で矩形状を有しており、その外周がケースＫ１７で囲まれている。また、図３に示すように、導光体Ｌ１の端部には、光源ＬＥ１からの光が入光する入光部Ｌ１ｎを有しており、光源ＬＥ１が点灯された際に、入光部Ｌ１ｎから入光した光源ＬＥ１の光は、導光体Ｌ１の上面Ｌ１ｕ或いは下面Ｌ１ｄと空気層との境界部で反射を繰り返して、導光体Ｌ１の内部を伝搬する。
【００２３】
次に、照光表示装置１０１のパターン層５は、図１ないし図３に示すように、導光体Ｌ１の表面（図３では上面Ｌ１ｕ）に形成されており、透明なバインダに銀ナノワイヤが分散された銀ナノワイヤ膜がパターン状になって構成されている。このパターン層５は、銀ナノワイヤを有した銀ナノワイヤ膜なので、反射光や透過光がパターン層５の銀ナノワイヤ膜に入光したとしても、反射光や透過光が銀ナノワイヤに影響されることがない。このため、光源ＬＥ１の非点灯時に導光体Ｌ１の端部から光が入光していない際には、ユーザによりパターン層５が視認されることがない。
【００２４】
一方、光源ＬＥ１の点灯時に導光体Ｌ１の端部から光が入光した際には、導光体Ｌ１内を伝搬してきた光が銀ナノワイヤ膜の銀ナノワイヤにより散乱される。このため、銀ナノワイヤ膜で構成されたパターン層５が照光され、ユーザにより照光された所定の表示パターンとして視認されるようになる。
【００２５】
ここで、パターン層５の形成方法について、簡単に説明する。図４は、パターン層５の形成方法を説明する工程図であり、図４（ａ）は、パターニング工程Ｐ１の途中の状態を示し、図４（ｂ）は、パターニング工程Ｐ１終了後の状態を示し、図４（ｃ）は、膜形成工程Ｐ２終了後の状態を示し、図４（ｄ）は、剥離工程Ｐ３終了後の状態を示している。
【００２６】
パターン層５の形成方法は、先ず、ポジ型で感光性のレジストインクを用い、コータ等を利用して、図４（ａ）に示すように、このレジストインクを導光体Ｌ１の全面に塗布し、レジストインクを乾燥してレジスト膜Ｒ１を形成する。次に、フォトマスクを用いて、レジスト膜Ｒ１を露光、現像して、図４（ｂ）に示すように、所定の表示パターンとなる開口Ｒ１ｋを有するレジスト膜Ｒ１を形成して、パターニング工程Ｐ１を終了する。なお、レジストインクとして、ネガ型を用いても良いが、その際には、フォトマスクの光透過領域を変更して、同じ開口Ｒ１ｋを有する表示パターンとする必要がある。また、パターン層５は銀ナノワイヤインクをスクリーン印刷などで塗布して形成してもかまわない。
【００２７】
次に、銀ナノワイヤ膜ＡＧ２を形成する膜形成工程Ｐ２を行う。この膜形成工程Ｐ２は、先ず、銀ナノワイヤがバインダ中に分散されたインク（例えば星光ＰＭＣ（株）製）を準備し、コータ等を利用して、このインクを所定のパターンが形成された導光体Ｌ１上の全面に塗布する。このインクは、銀ナノワイヤ、水溶性のバインダ及び水溶液から構成されている。そして、乾燥を行い溶媒である水溶液を蒸発させて、図４（ｃ）に示すように、バインダに銀ナノワイヤが分散された銀ナノワイヤ膜ＡＧ２を形成する。なお、この銀ナノワイヤは、容易に入手が可能であり、また、銀ナノワイヤを用いて形成した銀ナノワイヤ膜ＡＧ２は、高い導電性を有し不可視性に優れている。
【００２８】
最後に、レジスト膜Ｒ１を剥離する剥離工程Ｐ３を行う。この剥離工程Ｐ３は、レジスト膜Ｒ１を溶解する剥離液を準備し、この剥離液にレジスト膜Ｒ１及び銀ナノワイヤ膜ＡＧ２が形成された導光体Ｌ１を浸漬するか、導光体Ｌ１の表面に剥離液を滴下するかのいずれかを行う。これにより、レジスト膜Ｒ１は、レジスト膜Ｒ１上に形成された銀ナノワイヤ膜ＡＧ２とともに除去される。以上のようにして、図４（ｄ）に示すように、所定の表示パターン（図４（ｄ）に示すＰＴ）を有するパターン層５が導光体Ｌ１上に形成される。
【００２９】
次に、照光表示装置１０１の光源ＬＥ１は、側面発光方式のＬＥＤ（Light Emitting Diode）を好適に用いており、図２及び図３に示すように、配線基板１９に搭載され、入光部Ｌ１ｎと対向する位置に配置されているとともに、入光部Ｌ１ｎに光を入光できる向きに発光面ＬＥ１ｐを向けて配置されている。なお、光源ＬＥ１には、コネクタＣＮを介して、外部から電力が供給される。
【００３０】
次に、照光表示装置１０１のケースＫ１７は、ＡＢＳ（アクリロニトリルブタジエンスチレン）等の合成樹脂材料を用い、図１に示すように、導光体Ｌ１を収容できるような矩形の筒状形状をしている。また、ケースＫ１７は、図３に示すように、上下（図３に示すＺ方向）面に開放された窓部Ｋ１７ｗを有しており、特に、図１及び図２に示すように、パターン層５がこの窓部Ｋ１７ｗから露出している。
【００３１】
最後に、照光表示装置１０１の配線基板１９は、一般に知られているプリント配線板(ＰＷＢ、Printed Wiring Board)を用いており、光源ＬＥ１及びコネクタＣＮが搭載されている。また、配線基板１９は、導光体Ｌ１と光源ＬＥ１とがほぼ同一の高さになるように配設され、ケースＫ１７に固定されている。
【００３２】
以上のように構成された本発明の第１実施形態の照光表示装置１０１における、効果について、以下に記述する。
【００３３】
本発明の第１実施形態の照光表示装置１０１は、導光体Ｌ１の表面に形成されたパターン層５が非常に細い繊維状の銀ナノワイヤを有した銀ナノワイヤ膜となっている。このため、反射光や透過光がパターン層５に入光したとしても、反射光や透過光が銀ナノワイヤに影響されることがないので、光源ＬＥ１の非点灯時に導光体Ｌ１の端部から光が入光していない際には、ユーザによりパターン層５が視認されることがない。一方、光源ＬＥ１の点灯時に導光体Ｌ１の端部から光が入光した際には、導光体Ｌ１内を伝搬してきた光がパターン層５の銀ナノワイヤにより散乱される。このため、パターン層５が照光され、ユーザにより照光された所定の表示パターンとして視認されるようになる。これらのことにより、光源ＬＥ１の非点灯時には、所定の表示パターンが視認されなく、光源ＬＥ１の点灯時には、所定の表示パターンを照光表示することができる照光表示装置１０１を提供できる。
【００３４】
［第２実施形態］
図５は、本発明の第２実施形態の照光表示装置１０２を説明する分解斜視図である。図６は、本発明の第２実施形態の照光表示装置１０２を説明する斜視図である。図７は、本発明の第２実施形態の照光表示装置１０２を説明する図であって、図７（ａ）は、図６に示すＺ１側から見た上面図であり、図７（ｂ）は、図６に示すＸ１側から見た側面図である。図８は、本発明の第２実施形態の照光表示装置１０２を説明する図であって、図７（ａ）に示すＶＩＩＩ−ＶＩＩＩ線における断面図である。また、第２実施形態の照光表示装置１０２は、第１実施形態に対し、主に導光体Ｌ１を２つ（第１導光体Ｌ１１、第２導光体Ｌ２１）備えている構成が異なる。なお、第１実施形態と同一構成については、同一符号を付して詳細な説明は省略する。
【００３５】
本発明の第２実施形態の照光表示装置１０２は、図６及び図７に示すような平板状の外観を呈し、図５及び図８に示すように、端部に入光部Ｌ１ｎを有する第１導光体Ｌ１１と、第１導光体Ｌ１１の表面に形成されたパターン層１５と、第１導光体Ｌ１１の下方（図５に示すＺ２方向）に配置された第２導光体Ｌ２１と、第２導光体Ｌ２１の表面に形成されたパターン層２５と、を備えて構成される。他に、本発明の第２実施形態では、照光表示装置１０２は、第１導光体Ｌ１１の入光部Ｌ１ｎに対向して配設された第１光源ＬＥ１１と、第２導光体Ｌ２１の入光部Ｌ１ｎに対向して配設された第２光源ＬＥ２１と、第１導光体Ｌ１１の上方（図５に示すＺ１方向）に配置されたカバーフィルムＣＦ３と、第１導光体Ｌ１１が載置されるスペーサＳＰ４と、第２導光体Ｌ２１の下方に配置された反射層ＲＦ６と、第１導光体Ｌ１１及び第２導光体Ｌ２１等を収容するケースＫ２７と、第１光源ＬＥ１１及び第２光源ＬＥ２１をそれぞれ搭載する２つの配線基板２９と、を備えている。そして、第１光源ＬＥ１１及び第２光源ＬＥ２１が点灯された際に、パターン層１５及びパターン層２５に描かれた所定の表示パターンを照光表示するように構成されている。なお、図５には、パターン層１５及びパターン層２５における具体的な所定の表示パターンを図示していないが、文字や記号や図形等の表示パターンが設けられている。また、図８の断面図では、パターン層１５及びパターン層２５において、表示パターン（図中に示すＰＴ）の有る部分と無い部分を示している。
【００３６】
先ず、照光表示装置１０２の導光体Ｌ１は、図５及び図８に示すように、第１導光体Ｌ１１と第２導光体Ｌ２１と、複数有しており、図８に示すように、２つの導光体Ｌ１（第１導光体Ｌ１１及び第２導光体Ｌ２１）が離間して対向するように配設されている。
【００３７】
また、第１導光体Ｌ１１及び第２導光体Ｌ２１は、透光性を有したポリカーボネート（ＰＣ、polycarbonate）等の合成樹脂からなり、図５に示すように、シート状で矩形状を有している。また、図５及び図８に示すように、第１導光体Ｌ１１及び第２導光体Ｌ２１のそれぞれの端部には、第１光源ＬＥ１１及び第２光源ＬＥ２１からの光が入光する入光部Ｌ１ｎを有している。そして、第１導光体Ｌ１１では、第１光源ＬＥ１１が点灯された際に、入光部Ｌ１ｎから入光した光は、第１導光体Ｌ１１の上面Ｌ１ｕ或いは下面Ｌ１ｄと空気層との境界部で反射を繰り返して、第１導光体Ｌ１１の内部を伝搬する。同様にして、第２導光体Ｌ２１でも、第２光源ＬＥ２１が点灯された際に、入光部Ｌ１ｎから入光した光は、第２導光体Ｌ２１の上面Ｌ１ｕ或いは下面Ｌ１ｄと空気層との境界部で反射を繰り返して、第２導光体Ｌ２１の内部を伝搬する。
【００３８】
次に、照光表示装置１０２のパターン層１５は、図５及び図８に示すように、第１導光体Ｌ１１の表面（図８では上面Ｌ１ｕ）に形成されており、透明なバインダに銀ナノワイヤが分散された銀ナノワイヤ膜がパターン状になって構成されている。また、照光表示装置１０２のパターン層２５も同様に、第２導光体Ｌ２１の表面（図８では上面Ｌ１ｕ）に形成されており、透明なバインダに銀ナノワイヤが分散された銀ナノワイヤ膜がパターン状になって構成されている。このパターン層１５及びパターン層２５は、銀ナノワイヤを有した銀ナノワイヤ膜なので、反射光や透過光がパターン層１５及びパターン層２５の銀ナノワイヤ膜に入光したとしても、反射光や透過光が銀ナノワイヤに影響されることがない。このため、第１光源ＬＥ１１及び第２光源ＬＥ２１の非点灯時に、それぞれの導光体Ｌ１（第１導光体Ｌ１１及び第２導光体Ｌ２１）の端部から光が入光していない際には、ユーザによりパターン層１５及びパターン層２５が視認されることがない。
【００３９】
一方、第１光源ＬＥ１１及び第２光源ＬＥ２１の点灯時に、それぞれの導光体Ｌ１（第１導光体Ｌ１１及び第２導光体Ｌ２１）の端部から光が入光した際には、それぞれの導光体Ｌ１（第１導光体Ｌ１１及び第２導光体Ｌ２１）内を伝搬してきた光が銀ナノワイヤ膜の銀ナノワイヤにより散乱される。このため、銀ナノワイヤ膜で構成されたパターン層１５及びパターン層２５が照光され、ユーザにより、照光された所定の表示パターンとして、それぞれ視認されるようになる。
【００４０】
特に、本発明の第２実施形態の照光表示装置１０２では、導光体Ｌ１を２つ（第１導光体Ｌ１１及び第２導光体Ｌ２１）有しているので、２つの導光体Ｌ１のそれぞれに所定の表示パターンを別々に割り当てることができる。例えば、第１光源ＬＥ１１と第２光源ＬＥ２１の発光色を変えて、違う色に照光された所定の表示パターンをユーザに視認させることができる。例えば、第１光源ＬＥ１１と第２光源ＬＥ２１の点灯のタイミングを違えることで、それぞれの所定の表示パターンを別々に時間をずらしてユーザに認識させることもできる。これらを組み合わせることもできる。このように、本発明の第２実施形態の照光表示装置１０２は、照光表示による表現をより豊かにすることができる。
【００４１】
更に、本発明の第２実施形態の照光表示装置１０２では、２つの導光体Ｌ１（第１導光体Ｌ１１及び第２導光体Ｌ２１）が離間して対向するように配設されているので、２つの導光体Ｌ１のそれぞれに、同じ所定の表示パターン設け、この同じ所定の表示パターンを重ね合わせて配置することができる。このため、それぞれの導光体Ｌ１に入光する光の色を変えることで、所定の表示パターンの表示色を変えることができる。しかも入光する光の色の組合せによって、表示色の色を増やすことができる。このことにより、照光表示による表現をより一層豊かにすることができる。
【００４２】
なお、パターン層１５及びパターン層２５の形成方法は、第１実施形態で記述した形成方法と同様なので、説明を省略する。
【００４３】
次に、照光表示装置１０２の第１光源ＬＥ１１及び第２光源ＬＥ２１は、第１実施形態と同様に、側面発光方式のＬＥＤを好適に用いており、図８に示すように、それぞれの配線基板２９（２９Ａ、２９Ｂ）に搭載され、入光部Ｌ１ｎと対向する位置に配置されているとともに、入光部Ｌ１ｎに光を入光できる向きに発光面ＬＥ１ｐを向けて配置されている。このように、第１導光体Ｌ１１の入光部Ｌ１ｎと第１光源ＬＥ１１の発光面ＬＥ１ｐとを対向配置させるため、本発明の第２実施形態では、図８に示すように、高さ調整用部材のスペーサＳＰ４を用い、スペーサＳＰ４の上に配線基板２９Ａを載置するようにしている。また、第２導光体Ｌ２１と配線基板２９ＢとをケースＫ２７に収容することにより、第２導光体Ｌ２１の入光部Ｌ１ｎと第２光源ＬＥ２１の発光面ＬＥ１ｐとを対向配置させるようにもしている。なお、第１光源ＬＥ１１及び第２光源ＬＥ２１には、コネクタＣＮを介して、外部から電力が供給される。
【００４４】
次に、照光表示装置１０２のスペーサＳＰ４は、ＡＢＳ（アクリロニトリルブタジエンスチレン）等の合成樹脂材料を用い、図５に示すように、板状で矩形状を有しており、中央部分には、矩形状の開口部ＳＰ４ｋが形成されている。そして、照光表示装置１０２が組み立てられた際には、このスペーサＳＰ４は、前述した高さ調整の機能を有するとともに、図８に示すように、この開口部ＳＰ４ｋに第２導光体Ｌ２１を収容する。また、このスペーサＳＰ４は、第１導光体Ｌ１１と第２導光体Ｌ２１とを離間させている機能も有している。
【００４５】
また、スペーサＳＰ４の下方（図８に示すＺ２方向）には、配線基板２９Ｂが配設されて、スペーサＳＰ４の開口部ＳＰ４ｋに第２光源ＬＥ２１が収容されるようになる。そして、同じ開口部ＳＰ４ｋに収容された第２導光体Ｌ２１と第２光源ＬＥ２１とがほぼ同一の高さになるように、配線基板２９ＢがケースＫ２７上に載置されて配設される。なお、照光表示装置１０２が組み立てられた際には、スペーサＳＰ４は、図示していない両面テープ等の接着層で、ケースＫ２７に固定されている。
【００４６】
次に、照光表示装置１０２のカバーフィルムＣＦ３は、ＰＥＴ（ポリエチレンテレフタレート）等の透明のフィルム材料を用い、図６及び図７に示すように、ケースＫ２７の外形サイズに合わせた矩形状の形状をしている。そして、カバーフィルムＣＦ３は、照光表示装置１０２の上面側（図６に示すＺ１側）を覆うようにして配設され、図示していない両面テープ等の接着層で、ケースＫ２７に固定されている。ユーザは、このカバーフィルムＣＦ３を透して、第１導光体Ｌ１１及び第２導光体Ｌ２１所定の表示パターンを視認する。
【００４７】
次に、照光表示装置１０２の反射層ＲＦ６は、矩形状で白色のフィルム基材を用いており、図８に示すように、第２導光体Ｌ２１の下方に配置されるとともに、ケースＫ２７に載置されて、スペーサＳＰ４の開口部ＳＰ４ｋに収容されるようになる。この反射層ＲＦ６は、第２導光体Ｌ２１側からの光を拡散反射して、第２導光体Ｌ２１側に光を再び戻すようにしている。なお、反射層ＲＦ６は、図示していない両面テープ等の接着層で、ケースＫ２７に固定されている。
【００４８】
次に、照光表示装置１０２のケースＫ２７は、ＡＢＳ（アクリロニトリルブタジエンスチレン）等の合成樹脂材料を用い、図５に示すように、ベースとなる基体Ｋ２７ｋと、基体Ｋ２７ｋの三方の端部から延設された側壁Ｋ２７ｓと、基体Ｋ２７ｋの残りの一方の端部から長手方向（図５に示すＹ１方向）に延設された基部Ｋ２７ｂと、から形成されている。そして、ケースＫ２７は、第１導光体Ｌ１１、第２導光体Ｌ２１、スペーサＳＰ４及び反射層ＲＦ６を収容するとともに、第２光源ＬＥ２１及びコネクタＣＮが搭載された配線基板２９Ｂを基部Ｋ２７ｂに載置し、スペーサＳＰ４を基体Ｋ２７ｋに載置し、カバーフィルムＣＦ３を側壁Ｋ２７ｓの天面に載置している。
【００４９】
最後に、照光表示装置１０２の配線基板２９（２９Ａ、２９Ｂ）は、一般に知られているフレキシブルプリント配線板（ＦＰＣ、Flexible printed circuits）を好適に用いており、前述したように、第１光源ＬＥ１１及び第２光源ＬＥ２１に対応して、２つ設けられている。そして、この配線基板２９Ａ及び配線基板２９Ｂには、第１光源ＬＥ１１及びコネクタＣＮと、第２光源ＬＥ２１及びコネクタＣＮと、がそれぞれに搭載されている。また、第１光源ＬＥ１１が搭載された配線基板２９Ａは、第１導光体Ｌ１１と第１光源ＬＥ１１とがほぼ同一の高さになるように配設され、スペーサＳＰ４に固定されている。また、第２光源ＬＥ２１が搭載された配線基板２９Ｂは、第２導光体Ｌ２１と第２光源ＬＥ２１とがほぼ同一の高さになるように配設され、ケースＫ２７の基部Ｋ２７ｂに固定されている。なお、配線基板２９Ａ及び配線基板２９Ｂの固定は、図示していない両面テープ等の接着層を用いている。
【００５０】
以上のように構成された本発明の第２実施形態の照光表示装置１０２における、効果について、以下に纏めて記述する。
【００５１】
本発明の第２実施形態の照光表示装置１０２は、導光体Ｌ１（第１導光体Ｌ１１及び第２導光体Ｌ２１）の表面に形成されたパターン層（１５、２５）が非常に細い繊維状の銀ナノワイヤを有した銀ナノワイヤ膜となっている。このため、反射光や透過光がパターン層（１５、２５）に入光したとしても、反射光や透過光が銀ナノワイヤに影響されることがないので、第１光源ＬＥ１１及び第２光源ＬＥ２１の非点灯時に導光体Ｌ１の端部から光が入光していない際には、ユーザによりパターン層（１５、２５）が視認されることがない。一方、第１光源ＬＥ１１及び第２光源ＬＥ２１の点灯時に導光体Ｌ１の端部から光が入光した際には、導光体Ｌ１内を伝搬してきた光がパターン層（１５、２５）の銀ナノワイヤにより散乱される。このため、パターン層（１５、２５）が照光され、ユーザにより照光された所定の表示パターンとしてそれぞれ視認されるようになる。これらのことにより、第１光源ＬＥ１１及び第２光源ＬＥ２１の非点灯時には、所定の表示パターンが視認されなく、第１光源ＬＥ１１及び第２光源ＬＥ２１の点灯時には、所定の表示パターンを照光表示することができる照光表示装置１０２を提供できる。
【００５２】
また、パターン層（１５、２５）が形成されている導光体Ｌ１として、第１導光体Ｌ１１及び第２導光体Ｌ２１と、２つ有しているので、２つの導光体Ｌ１のそれぞれに所定の表示パターンを別々に割り当てることができる。このことにより、違う色での照光表示やタイミングをずらした照光表示等、照光表示による表現をより豊かにすることができる。
【００５３】
また、２つの導光体Ｌ１（第１導光体Ｌ１１及び第２導光体Ｌ２１）が離間して対向するように配設されているので、２つの導光体Ｌ１のそれぞれに、同じ所定の表示パターン設け、この同じ所定の表示パターンを重ね合わせて配置することができる。このため、それぞれの導光体Ｌ１に入光する光の色を変えることで、所定の表示パターンの表示色を変えることができる。しかも入光する光の色の組合せによって、表示色の色を増やすことができる。このことにより、照光表示による表現をより一層豊かにすることができる。
【００５４】
なお、本発明は上記実施形態に限定されるものではなく、例えば次のように変形して実施することができ、これらの実施形態も本発明の技術的範囲に属する。
【００５５】
＜変形例１＞
上記第１実施形態では、導光体Ｌ１としてガラスを用いたが、これに限るものではなく、ポリカーボネートやウレタン等の透光性の合成樹脂を用いても良い。
【００５６】
＜変形例２＞
上記第２実施形態では、第１導光体Ｌ１１と第２導光体Ｌ２１とが離間して対向するように構成したが、第１導光体Ｌ１１と第２導光体Ｌ２１を横に並べて構成しても良い。また、それらを組み合わせた構成でも良い。
【００５７】
＜変形例３＞
上記第２実施形態では、導光体Ｌ１としてポリカーボネート等の合成樹脂を用いたが、これに限るものではなく、第１実施形態のように、ガラスを用いても良い。
【００５８】
＜変形例４＞
上記第２実施形態では、導光体Ｌ１を２つ用いたが、３つ以上用いた構成でも良い。特に、３つ以上用いた場合には、それぞれの導光体Ｌ１の光源色に、Ｒ（Red）、Ｇ（Green）及びＢ（Blue）を用いると、所定の表示パターンをフルカラー表示にすることができ、照光表示による表現をより一層益々豊かにすることができる。
【００５９】
＜変形例５＞
上記実施形態では、パターン層５、パターン層１５及びパターン層２５が導光体Ｌ１の上面Ｌ１ｕに形成されていたが、これに限るものではなく、導光体Ｌ１の下面Ｌ１ｄに形成されていても良いし、或いは上面Ｌ１ｕと下面Ｌ１ｄとに位置をずらして形成されていても良い。
【００６０】
本発明は上記実施の形態に限定されず、本発明の目的の範囲を逸脱しない限りにおいて適宜変更することが可能である。
【符号の説明】
【００６１】
Ｌ１    導光体
Ｌ１１  第１導光体
Ｌ２１  第２導光体
Ｌ１ｎ  入光部
５、１５、２５  パターン層
１０１、１２２  照光表示装置
【図１】
0006489546.tif 000002
【図２】
0006489546.tif 000003
【図３】
0006489546.tif 000004
【図４】
0006489546.tif 000005
【図５】
0006489546.tif 000006
【図６】
0006489546.tif 000007
【図７】
0006489546.tif 000008
【図８】
0006489546.tif 000009
【図９】
0006489546.tif 000010